(57)【要約】【課題】簡単な操作でチェーンの引き出し長さを調節することができ、引き出し長さ調節後の状態を簡単な操作で確実に保持することができるチェーン保持機構を提供する。【解決手段】中空状のキャップ部材２００を有し、キャップ部材２００は、下部に形成した円筒状胴部２１０と、側面において一部が円筒状胴部２１０にかかるようにして形成され、チェーン３０を引き出すための開口部２３１とを有し、円筒状胴部２１０には、当該円筒状胴部２１０の周囲に嵌合することによって当該円筒状胴部２１０に保持されるとともに、嵌合状態において円筒状胴部２１０の周方向にスライド移動可能な一部切り欠き環３００が設けられている。【選択図】  図４
2019203315.tif 000002
【特許請求の範囲】
【請求項１】
中空状のキャップ部材を有し、
上記キャップ部材は、下部に形成した円筒状胴部と、側面において一部が上記円筒状胴部にかかるようにして形成され、チェーンを引き出すための開口部とを有し、
上記円筒状胴部には、当該円筒状胴部の周囲に嵌合することによって当該円筒状胴部に保持されるとともに、嵌合状態において上記円筒状胴部の周方向にスライド移動可能な一部切り欠き環が設けられていることを特徴とする、チェーン保持機構。
【請求項２】
上記一部切り欠き環は、少なくとも周方向端部が上記チェーンのリンクを通過できる太さを有し、上記円筒状胴部の周方向にスライドして、上記周方向端部が上記開口部を横断する状態と、上記開口部を開放する状態とを選択可能である、請求項１に記載のチェーン保持機構。
【請求項３】
上記一部切り欠き環は、上面視でＣ型リング状をしている、請求項２に記載のチェーン保持機構。
【請求項４】
上記一部切り欠き環には、作業者が指を掛けて当該一部切り欠き環をスライド操作するための指掛け用膨出部が形成されている、請求項３に記載のチェーン保持機構。
【請求項５】
上記円筒状胴部には、周方向に延びる凹溝が形成されており、当該凹溝に上記一部切り欠き環がスライド可能に嵌合している、請求項１ないし４のいずれかに記載のチェーン保持機構。
【請求項６】
上記キャップ部材の上記円筒状胴部より上部は、当該円筒状胴部と同一軸心および同一外径の円筒状外面部と、凹入外面部とが周方向に並んで位置して形成されており、上記開口部は、上記円筒状外面部から上記円筒状胴部にかけて形成されているとともに、上記凹入外面部には、上向きに突出して上記チェーンの端部を引っ掛けることができる掛け止め部が設けられている、請求項１ないし５のいずれかに記載のチェーン保持機構。
【請求項７】
垂直状に設置可能なポール部材と、当該ポール部材の上端部に上記キャップ部材を接続することにより上記ポール部材に接続された請求項１ないし６のいずれかに記載のチェーン保持機構と、上記ポール部材の中空部に収納されたチェーンと、を有し、当該チェーンは、その一端が上記キャップ部材の上記開口部から外部に引き出されていることを特徴とする、チェーン張設装置。
【請求項８】
上記開口部から上記チェーンを所望長さ引き出すとともに、上記一部切り欠き環をその先端が上記開口部を横断するとともに上記チェーンのリンクを通すようにスライドさせ、上記チェーンの先端を他の上記チェーン張設装置に掛け止めて使用する、請求項７に記載のチェーン張設装置。
【発明の詳細な説明】
【技術分野】
【０００１】
本発明は、チェーン保持機構およびこれを備えるチェーン張設装置に関する。
【背景技術】
【０００２】
特許文献１に示されているように、たとえば屋外において保安目的で領域を区切るための装置として、ポール間にチェーンを張り渡すように構成されたチェーン張設装置がある。
【０００３】
同文献に示されたチェーン張設装置は、ポールの上端部に設けた中空キャップの側面開口からポールの内部に収納したチェーンを引き出し、その先端を他のポールの適部に引っ掛けることにより、両ポール間にチェーンを張り渡すことができるように構成されている。
【０００４】
そして、両ポール間の距離に合致した引き出し長さでチェーンを保持するために、上記側面開口にはその下部に縦方向となったチェーンリンクが嵌り込む凹部が設けられている。当該凹部に縦方向となったチェーンリンクが嵌り込んだ状態では、当該縦方向のチェーンリンクを長手方向に挟んで両隣に位置する横方向となったチェーンリンクが上記凹部を通過できないので、チェーンの長手方向への移動が阻止され、これにより、チェーンの引き出し長さが設定される。
【０００５】
しかしながら、同文献に示されたチェーン張設装置は、上記のようにポールからのチェーンの引き出し長さを容易に設定できる反面、人が触れてチェーンが振動するなどして、側面開口の上記凹部に嵌り込んでいたチェーンリンクが容易に上記凹部から離脱してチェーンが側面開口から余分に引き出され、張り渡し状態のチェーンがたるんでしまうということがある。
【先行技術文献】
【特許文献】
【０００６】
【特許文献１】特許第５９７４０２３号公報
【発明の概要】
【発明が解決しようとする課題】
【０００７】
本発明は、上記した事情のもとで考え出されたものであって、簡単な操作でチェーンの引き出し長さを調節することができ、簡単な操作で確実に引き出し長さ調節後の状態を保持することができるチェーン保持機構およびこれを備えるチェーン張設装置を提供することを主たる課題とする。
【課題を解決するための手段】
【０００８】
上記課題を解決するため、本発明では、次の技術的手段を採用した。
【０００９】
すなわち、本発明の第１の側面により提供されるチェーン保持機構は、中空状のキャップ部材を有し、上記キャップ部材は、下部に形成した円筒状胴部と、側面において一部が上記円筒状胴部にかかるようにして形成され、チェーンを引き出すための開口部とを有し、上記円筒状胴部には、当該円筒状胴部の周囲に嵌合することによって当該円筒状胴部に保持されるとともに、嵌合状態において上記円筒状胴部の周方向にスライド移動可能な一部切り欠き環が設けられていることを特徴とする。
【００１０】
好ましい実施の形態では、上記一部切り欠き環は、少なくとも周方向端部が上記チェーンのリンクを通過できる太さを有し、上記円筒状胴部の周方向にスライドして、上記周方向端部が上記開口部を横断する状態と、上記開口部を開放する状態とを選択可能である。
【００１１】
好ましい実施の形態では、上記一部切り欠き環は、上面視でＣ型リング状をしている。
【００１２】
好ましい実施の形態では、上記一部切り欠き環には、作業者が指を掛けて当該一部切り欠き環をスライド操作するための指掛け用膨出部が形成されている。
【００１３】
好ましい実施の形態では、上記円筒状胴部には、周方向に延びる凹溝が形成されており、当該凹溝に上記一部切り欠き環がスライド可能に嵌合している。
【００１４】
好ましい実施の形態では、上記キャップ部材の上記円筒状胴部より上部は、当該円筒状胴部と同一軸心および同一外径の円筒状外面部と、凹入外面部とが周方向に並んで位置して形成されており、上記開口部は、上記円筒状外面部から上記円筒状胴部にかけて形成されているとともに、上記凹入外面部には、上向きに突出して上記チェーンの端部を引っ掛けることができる掛け止め部が設けられている。
【００１５】
本発明の第２の側面により提供されるチェーン張設装置は、垂直状に設置可能なポール部材と、当該ポール部材の上端部に上記キャップ部材を接続することにより上記ポール部材に接続された上記第１の側面に係るチェーン保持機構と、上記ポール部材の中空部に収納されたチェーンと、を有し、当該チェーンは、その一端が上記キャップ部材の上記開口部から外部に引き出されていることを特徴とする。
【００１６】
好ましい実施の形態では、当該チェーン張設装置は、上記開口部から上記チェーンを所望長さ引き出すとともに、上記一部切り欠き環をその先端が上記開口部を横断するとともに上記チェーンのリンクを通すようにスライドさせ、上記チェーンの先端を他の上記チェーン張設装置に掛け止めて使用する。
【発明の効果】
【００１７】
上記構成のチェーン保持機構によれば、一部切り欠き環をスライドさせてその端部を所望長さ引き出されたチェーンのリンクに通すという簡単な操作で、チェーンをその長手方向にずれ動くことがないように保持することができ、張設されたチェーンが不用意にたるんでしまうといったことを防止することができる。
【００１８】
一部切り欠き環は、キャップ部材の円筒状胴部の周囲に嵌合することによって当該円筒状胴部に保持されるので、当該一部切り欠き環をキャップ部材にスライド可能に保持するための特別な部材は必要なく、したがって上記チェーン保持機構は部品点数が削減された、簡単なものとなり、コスト上昇を招かない。
【００１９】
本発明のその他の特徴および利点は、図面を参照して以下に行う詳細な説明から、より明らかとなろう。
【図面の簡単な説明】
【００２０】
【図１】本発明の一実施形態に係るチェーン張設装置の側面図である。
【図２】図１に示すチェーン張設装置の正面図である。
【図３】一部切り欠き環を取り外した状態でのキャップ部材の正面図である。
【図４】図２のIV-IV線断面図である。
【図５】チェーン収納状態での図２のIV-IV線断面に相当する図である。
【図６】図４のVI-VI線断面に相当して作用を説明するための図であり、キャップ部材の開口部が開放している状態を示す。
【図７】図４のVI-VI線断面に相当して作用を説明するための図であり、キャップ部材の開口部を一部切り欠き環が横断している状態を示す。
【発明を実施するための形態】
【００２１】
以下、本発明の好ましい実施の形態につき、図面を参照して具体的に説明する。
【００２２】
図１〜図７は、本発明の一実施形態に係るチェーン保持機構Ｂおよびこれを備えたチェーン張設装置Ａを示す。
【００２３】
チェーン張設装置Ａは、台座１０と、ポール部材２０と、チェーン保持機構Ｂとを備える。
【００２４】
台座１０は、ポール部材２０を垂直状に保持するためのものであり、底面の直径に対して高さが低い円錐台状の形態を有しており、たとえばゴムで形成される。この台座１０には、垂直方向に貫通する保持孔１１が設けられており、ポール部材２０は、その下部を台座１０の保持孔１１に挿入することにより、台座１０と組み合わされる。
【００２５】
ポール部材２０は、たとえばステンレス製で所望長さを有する中空円筒パイプによって構成される。
【００２６】
チェーン保持機構Ｂは、キャップ部材２００を含んで構成されており、当該キャップ部材２００は、その下部に一体的に接続された円筒状接続部２０１をポール部材の上端部に挿入することによってポール部材の上端部に接続されている(図４)。キャップ部材および円筒状接続部は、たとえばＰＰなどの樹脂成型により形成される。
【００２７】
キャップ部材２００は、全体として下部が開口するとともに上部がドーム状の天井２１２で封鎖された中空状であり、下部の円筒状胴部２１０と、円筒状胴部２１０より上位において直径方向に対向する側面に形成された凹入外面部２２０を有しており、円筒状胴部２１０より上位の側面における凹入外面部２２０以外の領域は、円筒状胴部２１０と同一軸心および同一外径の円筒状外面部２３０となっている。
【００２８】
キャップ部材２００にはさらに、一方の円筒状外面部２３０から円筒状胴部２１０にかけて、後記するチェーン３０を引き出すための開口部２３１が形成されている。この開口部２３１は縦方向に長く、下方ほど幅広の長円形を呈している。
【００２９】
キャップ部材２００にはさらに、凹入外面部２２０内に位置し、チェーン３０の先端、あるいはチェーンリンク３１を引っ掛けることができる掛け止め部２２１が設けられている。より具体的には、この掛け止め部２２１は、凹入外面部２２０の下部棚部２２２から上方に向けて一体に延び、上端部がキャップ部材２００の半径方向内向きに傾斜する棒状を呈している。
【００３０】
キャップ部材２００の円筒状胴部２１０には、当該円筒状胴部２１０の周囲に嵌合することによって当該円筒状胴部２１０に保持されるとともに、嵌合状態において円筒状胴部２１０の周方向にスライド移動可能な一部切り欠き環３００が付設される。本実施形態においてこの一部切り欠き環３００は、円環の一部を切り欠き除去したような、上面視でＣ型リング状を呈しており、円筒状胴部２１０に形成した周方に延びる凹溝２１１にスライド可能に嵌合させられている。一部切り欠き環３００は、このように凹溝２１１に拘束されながらキャップ部材２００の円筒状胴部２１０に装着されるのであって、当該一部切り欠き環３００をキャップ部材２００に付設するための別途の部材は不要である。
【００３１】
この凹溝２１１は、開口部２３１の下方に重なる上下位置に形成されており、したがって、一部切り欠き環３００を凹溝２１１に沿って円筒状胴部２１０の周方向にスライドさせることにより、当該一部切り欠き環３００の周方向端部３２０が開口部２３１を横断する状態（図４、図７）と、開口部２３１を開放する状態（図２、図６）とを選択することができる。なお、この一部切り欠き環３００は、上記のように開口部２３１を横断する部分（一部切り欠き環３００の周方向端部３２０）は、チェーン３０のリンク３１を通過できる太さとされる。
【００３２】
本実施形態において、一部切り欠き環３００には、作業者が指を掛けて当該一部切り欠き環３００をスライド操作するための指掛け用膨出部３１０が形成されている。
【００３３】
なお、一部切り欠き環３００は、樹脂成型により成形することができ、ある程度のバネ性を有しているので、径を強制的に拡大させながら円筒状胴部２１０を抱くように嵌め、自身のもつバネ性をもって凹溝２１１に嵌合させるようにして、キャップ部材２００に付属させることができる。
【００３４】
ポール部材２０の中空部には、チェーン３０が収納される。チェーン３０は、複数の長円状リンク３１をつなげた公知の形態のものを用いることができ、プラスチック製または金属製である。このチェーン３０は、どの程度の張設長さを必要とするかに応じて全体長さを決定する。本実施形態において、チェーン３０の基端部は、ポール部材２０の中空部の底部に設けた止め付け部２１に連結され、先端部はキャップ部材２００の開口部２３１から外部に引き出されている。そして、チェーン３０の先端部は開口部２３１を通過できない幅をもつカラビナ３２を有している。
【００３５】
チェーン張設装置Ａの不使用時には、チェーン３０は、そのほとんどの部分をポール部材２０ないしキャップ部材２００の内部に収納されるが、先端のカラビナ３２が開口部２３１に引っ掛かって当該開口部２３１の外部に臨むことになる（図５）。チェーン３０は、その構造上、積み重なるように折り畳むことができるので、相当な全体長さを有していても、ポール部材２０ないしキャップ部材２００の内部に収納することができる。
【００３６】
次に、上記構成のチェーン張設装置の使用方法を説明する。
【００３７】
一部切り欠き環３００をキャップ部材２００の開口部２３１を開放する状態に選択し（図６）、チェーン３０を所望長さ開口部２３１から引き出した上、上記一部切り欠き環３００を、その先端３２０がチェーン３０のリンク３１を通過し、かつ上記開口部２３１を横断する状態にスライドさせる（図７）。そして、チェーン３０の先端（カラビナ３２）をたとえば他のチェーン張設装置Ａのキャップ部２００の掛け止め部２２１に引っ掛ける。このようにして、２つのチェーン張設装置Ａ間にチェーン３０を張り渡すことができる。この状態において、チェーン３０は、そのリンク３１に上記一部切り欠き環３００が通過することにより、長手方向へのずれ動きが確実に阻止されるので、人が触れるなどして張り渡し状態のチェーン３０が揺れるなどしても、不用意にチェーン３０が開口部２３１から余分に引き出されてたるむといった事態の発生を防ぐことができる。
【００３８】
一部切り欠き環３００は、なんらの抵抗なくスライドさせることができるし、実施形態ではとくに指掛け用膨出部３１０が形成されているので、上記したチェーン３０の保持操作は簡単に行える。
【００３９】
本発明の範囲は上記した実施形態に限定されることはなく、各請求項に記載した事項の範囲内でのあらゆる変更は、すべて本発明の範囲に含まれる。
【００４０】
たとえば、一部切り欠き環３００は、キャップ部材２００の円筒状胴部２１０の周囲に付属して周方向にスライド移動できればよく、実施形態のように凹溝２１１に嵌合させて上下方向への変位を規制しつつ周方向へのスライドを許容するほか、一部切り欠き環３００を上下に挟む位置に突起を設けることにより、一部切り欠き環３００の上下方向への変位を規制するようにすることもできる。
【００４１】
上記説明では、引き出したチェーン３０の先端を他のチェーン張設装置Ａの掛け止め部２２１に引っ掛けてチェーン３０を張設することを前提として説明しているが、チェーン３０の端部を掛け止める相手部材は問われない。たとえば、壁に設けたリング部にチェーン先端のカラビナを連結するようにしてもよい。
【００４２】
本実施形態では、チェーン３０の先端にカラビナ３２を設けているが、キャップ部材２００の開口部２３１を通過できないリング状部材を設けるだけでもよい。
【符号の説明】
【００４３】
Ａ      チェーン張設装置
Ｂ      チェーン保持機構
１０    台座
１１    保持孔
２０    ポール部材
２１    止め付け部
３０    チェーン
３１    リンク
３２    カラビナ
２００  キャップ部材
２０１  円筒状接続部
２１０  円筒状胴部
２１１  凹溝
２１２  天井
２２０  凹入外面部
２２１  掛け止め部
２２２  棚部
２３０  円筒状外面部
２３１  開口部
３００  一部切欠き環
３１０  指掛け用膨出部
３２０  周方向端部
【図１】
2019203315.tif 000003
【図２】
2019203315.tif 000004
【図３】
2019203315.tif 000005
【図４】
2019203315.tif 000006
【図５】
2019203315.tif 000007
【図６】
2019203315.tif 000008
【図７】
2019203315.tif 000009